(57)【要約】【課題】配線の損傷を抑制することが可能な照明装置を提供する。【解決手段】この直管型ＬＥＤ照明装置１００（照明装置）は、ＬＥＤ素子３ａと、筒状のチューブ１の内部に収納され、チューブ１の内面１２ａに対向する外面４２ａの部分に設けられた凹状の配線収容部４ａを含み、ＬＥＤ素子３ａから発生する熱を放熱するヒートシンク４と、凹状の配線収容部４ａに収容され、チューブ１の長手方向の一方端側から他方端側に延びる接続ケーブル７とを備える。【選択図】図２
2014026938.tif 000002
【特許請求の範囲】
【請求項１】
発光素子と、
筒状の管体の内部に収納され、前記管体の内面に対向する外面の部分に設けられた凹状の配線収容部を含み、前記発光素子から発生する熱を放熱するヒートシンクと、
前記凹状の配線収容部に収容され、前記管体の長手方向の一方端側から他方端側に延びる配線とを備える、照明装置。
【請求項２】
前記凹状の配線収容部は、前記ヒートシンクの前記管体の内面に沿う形状に形成された外面の部分に形成されている、請求項１に記載の照明装置。
【請求項３】
前記筒状の管体は、内面が円状に形成されており、
前記ヒートシンクは、平坦面部と円弧形状部とを含み、断面が略半円形状で前記管体の長手方向に延びるように形成されるとともに、前記平坦面部の外面上に前記発光素子が実装された素子基板が配置され、前記管体の円状の内面に沿う形状に形成された前記円弧形状部の外面に前記凹状の配線収容部が内側に窪むように形成されている、請求項２に記載の照明装置。
【請求項４】
前記配線は、前記管体の内面と離間する位置で前記配線収容部により固定されている、請求項１〜３のいずれか１項に記載の照明装置。
【請求項５】
前記配線は、略円形状の断面を有し、
前記凹状の配線収容部の内面は、前記配線の略円形状の外周面に対応する円弧状に形成されている、請求項４に記載の照明装置。
【請求項６】
前記凹状の配線収容部は、前記配線の入口である開口端の幅が前記配線の幅以下の長さを有するように形成されている、請求項１〜５のいずれか１項に記載の照明装置。
【請求項７】
前記凹状の配線収容部は、前記ヒートシンクに複数設けられており、複数の前記配線収容部のそれぞれに、前記配線が収容されている、請求項１〜６のいずれか１項に記載の照明装置。
【請求項８】
第１基板と、第２基板とをさらに備え、
前記ヒートシンクは、前記管体の長手方向の一方端側から他方端側に延びるように形成されるとともに、前記配線収容部が長手方向の全体にわたって形成されており、
前記配線収容部に収容された前記配線は、前記ヒートシンクの長手方向の一方端側に配置された前記第１基板と、前記ヒートシンクの長手方向の他方端側に配置された前記第２基板とを互いに接続している、請求項１〜７のいずれか１項に記載の照明装置。
【発明の詳細な説明】
【技術分野】
【０００１】
この発明は、照明装置に関し、特に、発光素子を備える照明装置に関する。
【背景技術】
【０００２】
従来、発光素子を備える照明装置が知られている（たとえば、特許文献１参照）。
【０００３】
上記特許文献１には、ＬＥＤ素子（発光素子）と、ＬＥＤ素子から発生する熱を放熱するアルミニウム放熱筒（ヒートシンク）と、ＬＥＤ素子を覆うポリカーボネート・カバーとを備えた直管型蛍光管形ＬＥＤ装置（照明装置）が開示されている。この直管型蛍光管形ＬＥＤ装置では、アルミニウム放熱筒は、外部に露出されているとともに、電源供給用電線・ケーブル（配線）を収納可能な間隙が設けられている。
【先行技術文献】
【特許文献】
【０００４】
【特許文献１】実用新案登録第３１６７２３０号公報
【発明の概要】
【発明が解決しようとする課題】
【０００５】
しかしながら、上記特許文献１の直管型蛍光管形ＬＥＤ装置（照明装置）では、電源供給用電線・ケーブル（配線）をアルミニウム放熱筒の間隙に収納した場合、アルミニウム放熱筒が外部に露出しているため、電源供給用電線・ケーブルも外部に露出する。このため、電源供給用電線・ケーブルが損傷しやすいという問題点がある。
【０００６】
この発明は、上記のような課題を解決するためになされたものであり、この発明の１つの目的は、配線の損傷を抑制することが可能な照明装置を提供することである。
【課題を解決するための手段】
【０００７】
この発明の一の局面による照明装置は、発光素子と、筒状の管体の内部に収納され、管体の内面に対向する外面の部分に設けられた凹状の配線収容部を含み、発光素子から発生する熱を放熱するヒートシンクと、凹状の配線収容部に収容され、管体の長手方向の一方端側から他方端側に延びる配線とを備える。
【０００８】
この一の局面による照明装置では、上記のように、筒状の管体の内部に収納されたヒートシンクの管体の内面に対向する外面の部分に、凹状の配線収容部を設け、管体の長手方向の一方端側から他方端側に延びる配線を、凹状の配線収容部に収容することによって、筒状の管体の内部においてヒートシンクの凹状の配線収容部に配線を収容することができるので、配線が外部に露出することがない。その結果、配線の損傷を抑制することができる。また、ヒートシンクの外面に設けられた凹状の配線収容部に配線を収容することによって、ヒートシンクの外面側から配線収容部に配線を配置することができるので、中空に形成された場合のヒートシンクの中空部分に管体の長手方向の一方端側から他方端側に延びる配線を通す場合に比べて、配線を配置する作業および配線を取り外す作業を容易に行うことができる。
【０００９】
上記一の局面による照明装置において、好ましくは、凹状の配線収容部は、ヒートシンクの管体の内面に沿う形状に形成された外面の部分に形成されている。このように構成すれば、管体の内面とヒートシンクの外面との隙間をなくすか小さくすることができるので、ヒートシンクの凹状の配線収容部に収容された配線が外れてヒートシンクの外面と管体の内面との間に入り込むことを抑制することができる。
【００１０】
この場合、好ましくは、筒状の管体は、内面が円状に形成されており、ヒートシンクは、平坦面部と円弧形状部とを含み、断面が略半円形状で管体の長手方向に延びるように形成されるとともに、平坦面部の外面上に発光素子が実装された素子基板が配置され、管体の円状の内面に沿う形状に形成された円弧形状部の外面に凹状の配線収容部が内側に窪むように形成されている。このように構成すれば、円筒状の照明装置において、発光素子が光を照射する方向と反対の方向に配線を配置することができるので、配線により光の照射が妨げられることを容易に防止することができる。また、円筒状の照明装置において、容易に管体の内面とヒートシンクの円弧形状部の外面とを面接触させて隙間をなくすことができるので、凹状の配線収容部に収容された配線が外れてヒートシンクの外面と管体の内面との間に入り込むことを容易に抑制することができる。
【００１１】
上記一の局面による照明装置において、好ましくは、配線は、管体の内面と離間する位置で配線収容部により固定されている。このように構成すれば、ヒートシンクの配線収容部に配線を固定してから、ヒートシンクを管体の内部に挿入する場合に、配線が管体の内面に接触することを防止することができるので、配線の損傷を防止しながら、照明装置の組み立て時の作業性を向上させることができる。また、配線が配線収容部に固定されるので、配線が周囲と衝突して音が発生することを抑制することができる。また、配線の位置が固定されるので、電気特性の安定化を図ることができる。
【００１２】
この場合、好ましくは、配線は、略円形状の断面を有し、凹状の配線収容部の内面は、配線の略円形状の外周面に対応する円弧状に形成されている。このように構成すれば、配線の外周面と配線収容部の内周面とを面接触させた状態で固定することができるので、配線を配線収容部に安定して固定することができる。
【００１３】
上記一の局面による照明装置において、好ましくは、凹状の配線収容部は、配線の入口である開口端の幅が配線の幅以下の長さを有するように形成されている。このように構成すれば、配線が配線収容部から外れるのを容易に抑制することができる。
【００１４】
上記一の局面による照明装置において、好ましくは、凹状の配線収容部は、ヒートシンクに複数設けられており、複数の配線収容部のそれぞれに、配線が収容されている。このように構成すれば、複数の配線を、それぞれ、配線収容部に収容して、損傷することを抑制することができる。
【００１５】
上記一の局面による照明装置において、好ましくは、第１基板と、第２基板とをさらに備え、ヒートシンクは、管体の長手方向の一方端側から他方端側に延びるように形成されるとともに、配線収容部が長手方向の全体にわたって形成されており、配線収容部に収容された配線は、ヒートシンクの長手方向の一方端側に配置された第１基板と、ヒートシンクの長手方向の他方端側に配置された第２基板とを互いに接続している。このように構成すれば、管体の長手方向においてヒートシンクを挟んで両側に配置された第１基板および第２基板を、配線収容部に収容された配線により容易に接続することができる。
【発明の効果】
【００１６】
本発明によれば、上記のように、配線の損傷を抑制することができる。
【図面の簡単な説明】
【００１７】
【図１】本発明の一実施形態による直管型ＬＥＤ照明装置の全体の構成を示した斜視図である。
【図２】本発明の一実施形態による直管型ＬＥＤ照明装置の全体の構成を示した分解斜視図である。
【図３】本発明の一実施形態による直管型ＬＥＤ照明装置のＬＥＤ基板を示した平面図である。
【図４】図１の２００−２００線に沿った断面図である。
【図５】本発明の一実施形態による直管型ＬＥＤ照明装置の電源基板および制御基板の配置状態を示した概略図である。
【図６】本発明の一実施形態による直管型ＬＥＤ照明装置の配線を示した模式図である
【図７】本発明の一実施形態による直管型ＬＥＤ照明装置のヒートシンクを示した斜視図である。
【図８】本発明の一実施形態の第１変形例による直管型ＬＥＤ照明装置の断面図である。
【図９】本発明の一実施形態の第２変形例による直管型ＬＥＤ照明装置の断面図である。
【発明を実施するための形態】
【００１８】
以下、本発明の実施形態を図面に基づいて説明する。
【００１９】
図１〜図７を参照して、本発明の一実施形態による直管型ＬＥＤ照明装置１００の構成について説明する。なお、直管型ＬＥＤ照明装置１００は、本発明の「照明装置」の一例である。
【００２０】
本実施形態による直管型ＬＥＤ照明装置１００は、図１に示すように、直線状に延びる管形状に形成されたチューブ１と、チューブ１の管軸方向（Ｘ方向）の両端部に取り付けられる一対のキャップ２とを備えている。また、チューブ１の内部には、図２に示すように、ＬＥＤ（発光ダイオード）素子３ａ（図３参照）が実装される複数のＬＥＤ基板３と、複数のＬＥＤ基板３を支持するとともにＬＥＤ素子３ａから発生する熱を放熱するヒートシンク４と、電子部品５ａが実装された電源基板５と、電子部品６ａが実装された制御基板６と、接続ケーブル７（７１ａ、７１ｂ、７２ａおよび７２ｂ（図５および図６参照））とが収納されている。なお、チューブ１は、本発明の「管体」の一例であり、ＬＥＤ基板３は、本発明の「素子基板」の一例である。また、ＬＥＤ素子３ａは、本発明の「発光素子」の一例であり、接続ケーブル７１ｂ、７２ａおよび７２ｂは、本発明の「配線」の一例である。また、電源基板５および制御基板６は、それぞれ、本発明の「第１基板」および「第２基板」の一例である。
【００２１】
チューブ１は、直線状に延びる管形状で、かつ、円筒形状に形成されている。具体的には、チューブ１は、内面が円状に形成されている。また、チューブ１は、図２および図４に示すように、Ｚ１方向側に配置される略半円弧形状の断面を有する表部１１と、Ｚ２方向側に配置される略半円弧形状の断面を有する裏部１２とを含み、表部１１と裏部１２とが一体となって円筒形状に形成されている。また、チューブ１は、樹脂材（たとえば、ポリカーボネート）からなり、表部１１と裏部１２とが一体成型されている。表部１１は、光拡散材を含み、ＬＥＤ素子３ａから出射される光を拡散させながら透光可能なように構成されている。裏部１２は、光拡散材を含み、表部１１よりも光を透過させ難いように構成されている。また、表部１１は、半透明に構成され、裏部１２は、略不透明に構成されている。また、表部１１および裏部１２は、約１ｍｍの板厚を有している。
【００２２】
また、チューブ１の内部には、図２および図４に示すように、一対のリブ１２１が設けられている。また、一対のリブ１２１は、チューブ１の管軸方向（Ｘ方向）の一方端部から他方端部まで、管軸方向の全域にわたって管軸方向に延びるように形成されている。また、一対のリブ１２１は、ヒートシンク４の移動を規制する機能を有するとともに、ヒートシンク４をチューブ１に挿入する際のガイドとして機能するように構成されている。
【００２３】
キャップ２は、図１および図２に示すように、チューブ１の管軸方向（Ｘ方向）の両端にチューブ１を覆うように取り付けられて固定されている。また、キャップ２には１対の端子２１が設けられている。端子２１は、直管型ＬＥＤ照明装置１００を取り付ける照明器具のソケットの端子（図示せず）を介して電力が供給されるように構成されている。また、端子２１は、図５および図６に示すように、接続ケーブル７（７１ａおよび７１ｂ）を介して、電源基板５に接続されている。
【００２４】
複数のＬＥＤ基板３は、図２に示すように、平面視において（Ｚ方向から見て）矩形形状を有し、管軸方向（Ｘ方向）に延びるように形成されている。また、複数のＬＥＤ基板３は、管軸方向（Ｘ方向）において電源基板５および制御基板６の間に設けられている。また、複数のＬＥＤ基板３は、ＬＥＤ基板３の長手方向（Ｘ方向）に沿って直列に配列されている。また、隣接するＬＥＤ基板３は、図示しない接続部材により電気的に互いに接続されている。また、ＬＥＤ基板３は、熱伝導性に優れたガラス系基板（たとえば、ガラスコンポジット基板）からなり、約１ｍｍの板厚を有している。
【００２５】
また、ＬＥＤ基板３の発光素子実装面３１には、図３および図４に示すように、複数のＬＥＤ素子３ａが実装されている。複数のＬＥＤ素子３ａは、図３に示すように、管軸方向（Ｘ方向）に所定の間隔を隔てて１列に配列されている。また、ＬＥＤ基板３の発光素子実装面３１には、複数のＬＥＤ素子３ａを覆うように蛍光体３ｂが設けられている。蛍光体３ｂは、管軸方向から見てドーム形状を有し、管軸方向に延びるように設けられている。また、蛍光体３ｂは、ＬＥＤ素子３ａから照射される光により励起されて、所定の色の光を発光するように構成されている。また、蛍光体３ｂは、ＬＥＤ素子３ａからの直接光および蛍光体３ｂから発光される光を合せた光が所定の色温度になるように、その成分が調整されている。
【００２６】
ここで、本実施形態では、ヒートシンク４は、図２に示すように、チューブ１の長手方向（Ｘ方向）の一方端側（Ｘ１方向側）から他方端側（Ｘ２方向側）に延びるように形成されている。詳細には、ヒートシンク４は、管軸方向においてチューブ１よりも小さい長さに形成されており、管軸方向においてチューブ１の略中央に配置されるように構成されている。また、ヒートシンク４は、チューブ１の内部に収納されるように構成されている。具体的には、ヒートシンク４は、チューブ１の一対のリブ１２１によりＺ方向が位置決めされて、チューブ１の内部に挿入されている。また、ヒートシンク４は、熱伝導性に優れた金属材（たとえば、アルミニウム材）により形成されている。また、ヒートシンク４は、押し出し成形により形成されている。また、図２および図４に示すように、ヒートシンク４は、チューブ１の内面１２ａに対向する外面４２ａの部分に３つの凹状の配線収容部４ａが設けられている。
【００２７】
また、ヒートシンク４は、図４に示すように、管軸方向に沿って中空に形成されている。具体的には、ヒートシンク４は、Ｚ１方向側に配置された平坦面部４１と、Ｚ２方向側に配置された円弧形状部４２とを含んでいる。また、ヒートシンク４のＹ方向の略中央には、平坦面部４１と円弧形状部４２とを互いに連結する補強リブ４３が設けられている。平坦面部４１、円弧形状部４２および補強リブ４３は、約０．７ｍｍの肉厚を有している。このように中空に形成することによって、ヒートシンク４の軽量化を図ることが可能である。
【００２８】
平坦面部４１は、図２に示すように、ＬＥＤ基板３が載置される基板載置部４１ａを有し、平坦状に形成されている。詳しくは、基板載置部４１ａには、ＬＥＤ基板３が放熱テープ（図示せず）を介して取り付けられている。また、平坦面部４１には、ヒートシンク４の管軸方向（Ｘ方向）の一方端部から他方端部まで、管軸方向の全域にわたって管軸方向に延びる一対のリブ４１１が設けられている。また、一対のリブ４１１は、平坦面部４１に一体的に形成されている。また、一対のリブ４１１は、ＬＥＤ基板３のＹ方向への移動を規制する位置決め部材として機能するように構成されている。
【００２９】
円弧形状部４２は、チューブ１の円状の内面１２ａに沿う形状に形成されている。具体的には、円弧形状部４２は、図４に示すように、管軸方向（Ｘ方向）から見て、チューブ１の内面１２ａと略同じ曲率の外面４２ａを有している。すなわち、円弧形状部４２は、管軸方向から見て、チューブ１の内面１２ａと略同じ曲率で円弧形状に形成されている。
【００３０】
また、本実施形態では、３つの配線収容部４ａは、図４に示すように、チューブ１の長手方向（Ｘ方向）の一方端側（Ｘ１方向側）から他方端側（Ｘ２方向側）に延びる接続ケーブル７１ｂ、７２ａおよび７２ｂをそれぞれ収納するように構成されている。具体的には、配線収容部４ａは、ヒートシンクの長手方向（Ｘ方向）の全体にわたって形成されている。また、配線収容部４ａは、凹状に形成されている。具体的には、配線収容部４ａは、チューブ１の内面１２ａに対向するヒートシンク４の円弧形状部４２の外面４２ａに内側に窪むように形成されている。また、凹状の配線収容部４ａの内面は、接続ケーブル７１ｂ、７２ａおよび７２ｂの略円形状の外周面に対応する円弧状に形成されている。具体的には、配線収容部４ａの内面は、断面が略円形状の接続ケーブル７１ｂ、７２ａおよび７２ｂと略同じ曲率で円弧形状に形成されている。
【００３１】
また、図４に示すように、配線収容部４ａは、接続ケーブル７１ｂ、７２ａおよび７２ｂの入口である開口端の幅Ｗが接続ケーブル７１ｂ、７２ａおよび７２ｂの幅以下の長さを有するように形成されている。つまり、配線収容部４ａのＸ方向に延びる開口端の幅Ｗは、接続ケーブル７１ｂ、７２ａおよび７２ｂの直径以下の長さを有するように形成されている。また、配線収容部４ａは、接続ケーブル７１ｂ、７２ａおよび７２ｂを、チューブ１の内面１２ａと離間する位置で固定して収容している。具体的は、配線収容部４ａは、接続ケーブル７１ｂ、７２ａおよび７２ｂを、外面４２ａに対して内側の位置で固定して収容している。
【００３２】
ヒートシンク４は、チューブ１の内部に収納された状態で、チューブ１に設けられた一対のリブ１２１により、所定の配置位置からチューブ１の管軸方向（Ｘ方向）に交差する方向（Ｙ方向およびＺ方向）にずれるのが規制されている。すなわち、ヒートシンク４は、円弧形状部４２がチューブ１の内面１２ａに当接するとともに平坦面部４１が一対のリブ１２１に当接することによって、Ｙ方向およびＺ方向に移動するのが規制される。
【００３３】
電源基板５は、交流電源から供給された交流電力をＬＥＤ素子３ａの駆動用の直流電力に変換するように構成されている。また、電源基板５は、図２に示すように、チューブ１の内部の長手方向の一方端側（Ｘ１方向側）に配置されている。また、電源基板５は、図５および図６に示すように、接続ケーブル７１ａおよび７１ｂを介してキャップ２の端子２１に電気的に接続されている。これにより、電源基板５にキャップ２の端子２１を介して交流電力が供給される。また、電源基板５は、キャップ２で覆われた部分のチューブ１の内側に配置されている。これにより、電源基板５を外部から見えにくくすることが可能である。
【００３４】
制御基板６は、ＬＥＤ素子３ａの点灯を制御するように構成されている。具体的には、制御基板６は、直流電力の電圧を制御してＬＥＤ素子３ａに供給するように構成されている。また、制御基板６は、ＰＷＭ（Ｐｕｌｓｅ  Ｗｉｄｔｈ  Ｍｏｄｕｌａｔｉｏｎ）制御によりＬＥＤ素子３ａの点灯を制御して明るさを調整するように構成されている。また、制御基板６は、図２に示すように、チューブ１の内部の長手方向の他方端側（Ｘ２方向側）に配置されている。
【００３５】
また、制御基板６は、図５および図６に示すように、接続ケーブル７２ａおよび７２ｂを介して電源基板５に電気的に接続されている。つまり、配線収容部４ａに収容された接続ケーブル７２ａおよび７２ｂにより、ヒートシンク４の長手方向（Ｘ方向）の一方端側（Ｘ１方向側）に配置された電源基板５と、ヒートシンク４の長手方向（Ｘ方向）の他方端側（Ｘ２方向側）に配置された制御基板６とが互いに接続されている。これにより、制御基板６に電源基板５から直流電力が供給される。また、制御基板６は、接続配線６１ａおよび６１ｂを介してＬＥＤ基板３に電気的に接続されている。これにより、ＬＥＤ基板３にＰＷＭ変調された電力が供給される。また、制御基板６は、キャップ２で覆われた部分のチューブ１の内側に配置されている。これにより、制御基板６を外部から見えにくくすることが可能である。
【００３６】
接続ケーブル７（７１ａ、７１ｂ、７２ａおよび７２ｂ）は、略円形状の断面を有している。また、接続ケーブル７は、導体（図示せず）と、導体の外周を覆う絶縁体（たとえば、塩化ビニル）（図示せず）とを含む。また、接続ケーブル７の絶縁体は、弾性変形可能に構成されている。これにより、接続ケーブル７１ｂ、７２ａおよび７２ｂの直径より小さい幅Ｗの開口部を有する配線収容部４ａに接続ケーブル７１ｂ、７２ａおよび７２ｂをそれぞれ挿入することが可能である。
【００３７】
本実施形態では、上記のように、筒状のチューブ１の内部に収納されたヒートシンク４のチューブ１の内面１２ａに対向する外面４２ａの部分に、凹状の配線収容部４ａを設け、チューブ１の長手方向（Ｘ方向）の一方端側（Ｘ１方向側）から他方端側（Ｘ２方向側）に延びる接続ケーブル７１ｂ、７２ａおよび７２ｂを、凹状の配線収容部４ａに収容することによって、筒状のチューブ１の内部においてヒートシンク４の凹状の配線収容部４ａに接続ケーブル７１ｂ、７２ａおよび７２ｂを収容することができるので、接続ケーブル７１ｂ、７２ａおよび７２ｂが外部に露出することがない。その結果、接続ケーブル７１ｂ、７２ａおよび７２ｂの損傷を抑制することができる。また、ヒートシンク４の外面４２ａに設けられた凹状の配線収容部４ａに接続ケーブル７１ｂ、７２ａおよび７２ｂを収容することによって、ヒートシンク４の外面４２ａ側から配線収容部４ａに接続ケーブル７１ｂ、７２ａおよび７２ｂを配置することができるので、中空に形成されたヒートシンク４の中空部分にチューブ１の長手方向（Ｘ方向）の一方端側（Ｘ１方向側）から他方端側（Ｘ２方向側）に延びる接続ケーブル７１ｂ、７２ａおよび７２ｂを通す場合に比べて、接続ケーブル７１ｂ、７２ａおよび７２ｂを配置する作業および接続ケーブル７１ｂ、７２ａおよび７２ｂを取り外す作業を容易に行うことができる。
【００３８】
また、本実施形態では、上記のように、筒状のチューブ１の内面を円状に形成し、ヒートシンク４を、断面が略半円形状でチューブ１の長手方向（Ｘ方向）に延びるように形成するとともに、平坦面部４１の外面上にＬＥＤ素子３ａが実装されたＬＥＤ基板３を配置し、チューブ１の円状の内面１２ａに沿う形状に形成された円弧形状部４２の外面４２ａに凹状の配線収容部４ａを内側に窪むように形成する。これにより、円筒状の直管型ＬＥＤ照明装置１００において、ＬＥＤ素子３ａが光を照射する方向（Ｚ１方向）と反対の方向（Ｚ２方向）に接続ケーブル７１ｂ、７２ａおよび７２ｂを配置することができるので、接続ケーブル７１ｂ、７２ａおよび７２ｂにより光の照射が妨げられることを容易に防止することができる。また、円筒状の直管型ＬＥＤ照明装置１００において、容易にチューブ１の内面１２ａとヒートシンク４の円弧形状部の外面４２ａとを面接触させて隙間をなくすことができるので、凹状の配線収容部４ａに収容された接続ケーブル７１ｂ、７２ａおよび７２ｂが外れてヒートシンク４の外面４２ａとチューブ１の内面１２ａとの間に入り込むことを容易に抑制することができる。
【００３９】
また、本実施形態では、上記のように、接続ケーブル７１ｂ、７２ａおよび７２ｂを、チューブ１の内面１２ａと離間する位置で配線収容部４ａにより固定することによって、ヒートシンク４の配線収容部４ａに接続ケーブル７１ｂ、７２ａおよび７２ｂを固定してから、ヒートシンク４をチューブ１の内部に挿入する場合に、接続ケーブル７１ｂ、７２ａおよび７２ｂがチューブ１の内面１２ａに接触することを防止することができるので、接続ケーブル７１ｂ、７２ａおよび７２ｂの損傷を防止しながら、直管型ＬＥＤ照明装置１００の組み立て時の作業性を向上させることができる。また、接続ケーブル７１ｂ、７２ａおよび７２ｂが配線収容部４ａに固定されるので、接続ケーブル７１ｂ、７２ａおよび７２ｂが周囲と衝突して音が発生することを抑制することができる。また、接続ケーブル７１ｂ、７２ａおよび７２ｂの位置が固定されるので、電気特性の安定化を図ることができる。
【００４０】
また、本実施形態では、上記のように、凹状の配線収容部４ａの内面を、接続ケーブル７１ｂ、７２ａおよび７２ｂの略円形状の外周面に対応する円弧状に形成することによって、接続ケーブル７１ｂ、７２ａおよび７２ｂの外周面と配線収容部４ａの内周面とを面接触させた状態で固定することができるので、接続ケーブル７１ｂ、７２ａおよび７２ｂを配線収容部４ａに安定して固定することができる。
【００４１】
また、本実施形態では、上記のように、凹状の配線収容部４ａを、接続ケーブル７１ｂ、７２ａおよび７２ｂの入口である開口端の幅Ｗが接続ケーブル７１ｂ、７２ａおよび７２ｂの幅以下の長さを有するように形成することによって、接続ケーブル７１ｂ、７２ａおよび７２ｂが配線収容部４ａから外れるのを容易に抑制することができる。
【００４２】
また、本実施形態では、上記のように、凹状の配線収容部４ａを、ヒートシンク４に３つ設けるとともに、３つの配線収容部４ａのそれぞれに、接続ケーブル７１ｂ、７２ａおよび７２ｂを収容することによって、接続ケーブル７１ｂ、７２ａおよび７２ｂを、それぞれ、配線収容部４ａに収容して、損傷することを抑制することができる。
【００４３】
また、本実施形態では、上記のように、配線収容部４ａに収容された接続ケーブル７２ａおよび７２ｂにより、ヒートシンク４の長手方向（Ｘ方向）の一方端側（Ｘ１方向側）に配置された電源基板５と、ヒートシンク４の長手方向（Ｘ方向）の他方端側（Ｘ２方向側）に配置された制御基板６とを互いに接続することによって、チューブ１の長手方向（Ｘ方向）においてヒートシンク４を挟んで両側に配置された電源基板５および制御基板６を、配線収容部４ａに収容された接続ケーブル７２ａおよび７２ｂにより容易に接続することができる。
【００４４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４５】
たとえば、上記実施形態では、本発明の発光素子としてＬＥＤ素子を用いる構成の例を示したが、本発明はこれに限られない。本発明では、たとえば半導体レーザ素子など、ＬＥＤ以外の発光素子を用いる構成であってもよい。
【００４６】
また、上記実施形態では、複数の接続ケーブル（配線）が１本ずつ配線収容部に収容されている構成の例を示したが、本発明はこれに限られない。本発明では、たとえば、図８に示す第１変形例ように、２本の接続ケーブル７２ａおよび７２ｂを共通の配線収容部４ｂに収容する構成であってもよい。また、図９に示す第２変形例ように、３本の接続ケーブル７１ｂ、７２ａおよび７２ｂを共通の配線収容部４ｃに収容する構成であってもよい。
【００４７】
また、上記実施形態では、３本の接続ケーブル（配線）がそれぞれ配線収容部に収容される構成の例を示したが、本発明はこれに限られない。本発明では、３本以外の１本以上の配線が配線収容部に収容される構成であってもよい。
【００４８】
また、上記実施形態では、筒状のチューブ（管体）が円筒形状である構成の例を示したが、本発明はこれに限られない。本発明では、筒状の管体は、円筒形状以外の形状であってもよい。たとえば、断面が矩形形状（四角形状）など多角形形状の管体であってもよいし、断面が曲線と直線とを有する形状の管体であってもよい。
【００４９】
また、上記実施形態では、接続ケーブル（配線）が略円形形状の断面を有する構成の例を示したが、本発明はこれに限られない。本発明では、配線が略円形形状以外の断面を有していてもよい。たとえば、配線は、断面が楕円形状などの平型配線であってもよい。この場合、配線収容部は、配線が隙間無く収容されるように内面が配線と同形状に形成されていることが好ましい。
【符号の説明】
【００５０】
１  チューブ（管体）
３  ＬＥＤ基板（素子基板）
３ａ  ＬＥＤ素子（発光素子）
４  ヒートシンク
４ａ、４ｂ、４ｃ  配線収容部
５  電源基板（第１基板）
６  制御基板（第２基板）
１２ａ  内面
４１  平坦面部
４２  円弧形状部
４２ａ  外面
７１ｂ、７２ａ、７２ｂ  接続ケーブル（配線）
１００  直管型ＬＥＤ照明装置（照明装置）
【図１】
2014026938.tif 000003
【図２】
2014026938.tif 000004
【図３】
2014026938.tif 000005
【図４】
2014026938.tif 000006
【図５】
2014026938.tif 000007
【図６】
2014026938.tif 000008
【図７】
2014026938.tif 000009
【図８】
2014026938.tif 000010
【図９】
2014026938.tif 000011